(57)【要約】【課題】キーを押しているのかどうかが一見して明瞭にわかるキーボード操作補助具を提供する。【解決手段】キーボード用カバー１１が、コンピュータ用のキーボードに被せて取り付けられ、キーボードの各キーの位置に対応した複数の孔２１が設けられている。キー操作補助手段１２が、各孔２１のうち修飾キーに対応した孔２１ａに対応して、キーボード用カバー１１に設けられている。キー操作補助手段１２は、キーボード用カバー１１に回転可能に取り付けられたレバー２４を有し、レバー２４は一端２４ｂから所定の距離の位置に、修飾キーおよびキーボード用カバー１１の表面に平行な回転軸２４ａを有している。レバー２４は、回転軸２４ａを中心として回転して、一端２４ｂが孔２１ａから下方に突出して対応する修飾キーを押す入力位置と、一端２４ｂが修飾キーを開放する非入力位置とに位置付け可能に構成されている。【選択図】図１
0003171281.tif 000002
【実用新案登録請求の範囲】
【請求項１】
コンピュータ用のキーボードに被せて取り付けられ、前記キーボードの各キーの位置に対応した複数の孔を有するキーボード用カバーと、
各孔のうち１または複数の孔に対応して前記キーボード用カバーに設けられるキー操作補助手段とを有し、
前記キー操作補助手段は、回転軸を前記キーの表面に平行にして前記キーボード用カバーに回転可能に取り付けられるレバーを有し、前記レバーは、前記回転軸を中心とした回転により、一端が前記孔から下方に突出して対応するキーを押す入力位置と、前記キーを開放する非入力位置とに位置付け可能であることを、
特徴とするキーボード操作補助具。
【請求項２】
前記レバーは、棒状をなし、前記一端と前記回転軸を挟んで他端に操作部を有することを特徴とする請求項１記載のキーボード操作補助具。
【請求項３】
コンピュータ用のキーボードに被せて取り付けられ、前記キーボードの各キーの位置に対応した複数の孔を有するキーボード用カバーと、
各孔のうち１または複数の孔に対応して前記キーボード用カバーに設けられるキー操作補助手段とを有し、
前記キー操作補助手段は、前記キーボード用カバーの表面に沿って往復運動可能なスライド部材と、回転軸を前記キーの表面に平行かつ前記スライド部材の運動方向に直角にして前記スライド部材に回転可能に取り付けられたレバーとを有し、前記レバーは、前記スライド部材とともに前進するとき、対応する孔の縁に押し付けられて下方にスライドして前記孔から下方に突出し、前記スライド部材とともに後退するとき、前記縁へと引き上げられる突出部を一端に有したＪ字状の断面を有し、前記スライド部材の前進により前記突出部が対応するキーを押す入力位置と、前記スライド部材の後退により前記キーを開放する非入力位置とに位置付け可能であることを、
特徴とするキーボード操作補助具。
【請求項４】
前記キー操作補助手段は、前記キーボードの修飾キーの位置に対応した前記孔に対応して設けられていることを特徴とする請求項１、２または３記載のキーボード操作補助具。
【考案の詳細な説明】
【技術分野】
【０００１】
本考案は、キーボード操作補助具に関する。
【背景技術】
【０００２】
腕や手の不自由な身体障害者がコンピュータのキーボードを操作するとき、不随意運動により、所望のキー以外のキーを押したり、一度に複数のキーを押したりすることが多く、身体障害者にとってキーボード操作は非常に困難であった。このような困難を解消するため、従来、キーボードの各キーの位置に対応した複数の孔が設けられたキーボード用カバーが開発されている（例えば、特許文献１参照）。このキーボード用カバーをキーボードに被せることにより、身体障害者が孔を通してキーを押すことで、他のキーを誤って押すのを防ぐことができ、キーボード操作を容易にすることができる。
【０００３】
しかし、麻痺等により片手しか使えない身体障害者は、一度に一つのキーしか押すことができないため、いわゆる修飾キーを操作することができないという問題があった。なお、修飾キーとは、他のキーの入力機能を変えるために併用されるキーのことで、シフトキー（Ｓｈｉｆｔ）やコントロールキー（Ｃｔｒｌ）、オルタネートキー（Ａｌｔ）等である。これらの修飾キーと他のキーとを同時に押すことにより、他のキーの入力機能を変えることができる。
【０００４】
この問題を解決するために、図５に示すように、キーボード用カバー５１の修飾キーの上に、ボタンを押すとキーを押した状態になり、もう一度ボタンを押すとキーが戻って開放された状態になるよう構成されたノック式ボタン５２を取り付けたキーボード操作補助具が提案されている。この場合、ノック式ボタン５２を押して修飾キーを押した状態で、他のキーを押すことにより、修飾キーと他のキーとを同時に押すことができる。
【先行技術文献】
【特許文献】
【０００５】
【特許文献１】意匠登録第１３４３８９８号公報
【考案の概要】
【考案が解決しようとする課題】
【０００６】
しかしながら、ノック式ボタンを取り付けたキーボード操作補助具では、上から見ただけでは、修飾キーを押した状態なのか、開放した状態なのかがわかりにくいという課題があった。
【０００７】
本考案は、このような課題に着目してなされたもので、キーを押しているのかどうかが一見して明瞭にわかるキーボード操作補助具を提供することを目的とする。
【課題を解決するための手段】
【０００８】
上記目的を達成するために、本考案に係るキーボード操作補助具は、コンピュータ用のキーボードに被せて取り付けられ、前記キーボードの各キーの位置に対応した複数の孔を有するキーボード用カバーと、各孔のうち１または複数の孔に対応して前記キーボード用カバーに設けられるキー操作補助手段とを有し、前記キー操作補助手段は、回転軸を前記キーの表面に平行にして前記キーボード用カバーに回転可能に取り付けられるレバーを有し、前記レバーは、前記回転軸を中心とした回転により、一端が前記孔から下方に突出して対応するキーを押す入力位置と、前記キーを開放する非入力位置とに位置付け可能であることを、特徴とする。
【０００９】
本考案に係るキーボード操作補助具は、キー操作補助手段のレバーを、回転軸を中心として回転して、レバーの一端が孔から下方に突出して対応するキーを押す入力位置に位置付けることにより、そのキーを押した状態に維持することができる。これにより、片手しか使えない身体障害者であっても、レバーの一端で押したキーとともに、他のキーを同時に押すことができる。また、回転軸を中心としてレバーを回転して、レバーの一端がキーを開放する非入力位置に位置付けることにより、そのキーを押した状態から開放することができる。
【００１０】
本考案に係るキーボード操作補助具は、レバーを回転させることでキーを押す入力位置と開放する非入力位置とに位置付けるため、それぞれの位置に位置付けたときのレバーの見た目が大きく異なる。このため、キーを押しているのかどうかが一見して明瞭にわかる。
【００１１】
本考案に係るキーボード操作補助具で、前記レバーは、棒状をなし、前記一端と前記回転軸を挟んで他端に操作部を有することが好ましい。この場合、操作部をつまんでキーボード用カバーの表面に対してレバーを立てることにより、キーを押す入力位置に位置付けることができ、レバーを倒すことにより、キーを開放する非入力位置に位置付けることができる。このように、キーボード用カバーの表面上に現れているレバーの状態が、それぞれの位置で大きく異なるため、キーを押しているかどうかが一見して明瞭でわかりやすい。
【００１２】
本考案に係るキーボード操作補助具は、コンピュータ用のキーボードに被せて取り付けられ、前記キーボードの各キーの位置に対応した複数の孔を有するキーボード用カバーと、各孔のうち１または複数の孔に対応して前記キーボード用カバーに設けられるキー操作補助手段とを有し、前記キー操作補助手段は、前記キーボード用カバーの表面に沿って往復運動可能なスライド部材と、回転軸を前記キーの表面に平行かつ前記スライド部材の運動方向に直角にして前記スライド部材に回転可能に取り付けられたレバーとを有し、前記レバーは、前記スライド部材とともに前進するとき、対応する孔の縁に押し付けられて下方にスライドして前記孔から下方に突出し、前記スライド部材とともに後退するとき、前記縁へと引き上げられる突出部を一端に有したＪ字状の断面を有し、前記スライド部材の前進により前記突出部が対応するキーを押す入力位置と、前記スライド部材の後退により前記キーを開放する非入力位置とに位置付け可能である構成であってもよい。
この場合、スライド部材を往復運動させることにより、キーを押す入力位置とキーを開放する非入力位置とに位置付けることができるため、キーボード用カバーの表面から突出する部分を低く抑えることができる。また、スライド部材のスライド位置により、キーを押しているかどうかが一見して明瞭でわかりやすい。
【００１３】
本考案に係るキーボード操作補助具で、前記キー操作補助手段は、各孔のうち修飾キーに対応した孔に対応して設けられていることが好ましい。この場合、片手しか使えない身体障害者であっても、修飾キーと他のキーとを同時に押すことができ、修飾キーの操作が容易である。
【考案の効果】
【００１４】
本考案によれば、キーを押しているのかどうかが一見して明瞭にわかるキーボード操作補助具を提供することができる。
【図面の簡単な説明】
【００１５】
【図１】本考案の第１の実施の形態のキーボード操作補助具を示す（ａ）平面図、（ｂ）側面図である。
【図２】本考案の第１の実施の形態のキーボード操作補助具の変形例を示す平面図である。
【図３】本考案の第２の実施の形態のキーボード操作補助具を示す平面図である。
【図４】本考案の第２の実施の形態のキーボード操作補助具のキー操作補助手段の動作を示す側面図である。
【図５】従来のノック式ボタンを有するキーボード操作補助具を示す（ａ）平面図、（ｂ）側面図である。
【考案を実施するための形態】
【００１６】
以下、図面に基づき本考案の実施の形態について説明する。
図１および図２は、本考案の第１の実施の形態のキーボード操作補助具を示している。
図１に示すように、キーボード操作補助具１０は、キーボード用カバー１１とキー操作補助手段１２とを有している。
【００１７】
キーボード用カバー１１は、透明の樹脂製であり、板状を成しており、コンピュータ用のキーボードの上に被せて取付可能に設けられている。キーボード用カバー１１は、キーボードに被せたときキーボードの各キーの位置に対応するよう設けられた複数の孔２１を有している。キーボード用カバー１１は、キーボードの上に取り付けたとき、キーの表面に平行に取り付けられる。キーボード用カバー１１は、面ファスナーや磁石などにより、キーボードに取付可能になっている。
【００１８】
キー操作補助手段１２は、キーボード用カバー１１の各孔２１のうち修飾キーに対応した孔２１ａに対応して、キーボード用カバー１１の表面に設けられている。修飾キーは、シフトキー（Ｓｈｉｆｔ）、コントロールキー（Ｃｔｒｌ）およびオルタネートキー（Ａｌｔ）である。キー操作補助手段１２は、取付板２２と固定部材２３とレバー２４とを有している。取付板２２は、樹脂製の透明な板から成り、キーボード用カバー１１の各修飾キーに対応する孔２１ａを覆うよう、キーボード用カバー１１の表面の右側と左側の２箇所に取り付けられている。右側の取付板２２は、キーボードの右側に配置されたシフトキーとコントロールキーとに対応する２つの孔２１ａを覆い、左側の取付板２２は、キーボードの左側に配置されたシフトキーとコントロールキーとオルタネートキーとに対応する３つの孔２１ａを覆うように取り付けられている。取付板２２は、各修飾キーに対応する位置に、貫通孔２２ａを有している。
【００１９】
固定部材２３は、各修飾キーに対応して取付板２２の上に固定されている。レバー２４は、細長い棒状を成し、キーボード用カバー１１の表面に平行な回転軸２４ａを中心として回転可能に、固定部材２３に取り付けられている。回転軸２４ａは、レバー２４の長さ方向のほぼ中心位置に設けられ、レバー２４は一端２４ｂおよび他端２４ｃからそれぞれ所定の距離を有している。レバー２４は、キーボード用カバー１１の表面に対して他端２４ｃの操作部を上方に立てるよう回転させることにより、一端２４ｂが回転して取付板２２の貫通孔２１およびキーボード用カバー１１の孔２１から下方に突出して、対応する修飾キーを押す入力位置に位置付けられるよう構成されている。また、レバー２４は、他端２４ｃの操作部をキーボード用カバー１１の表面に倒すよう回転させることにより、一端２４ｂが回転して対応する修飾キーを開放する非入力位置に位置付けられるよう構成されている。レバー２４の他端２４ｃの操作部は、指で操作しやすい形状に加工されている。
【００２０】
次に、作用について説明する。
キーボード操作補助具１０は、主に片手しか使えない身体障害者を対象として、キーボード用カバー１１をコンピュータのキーボードに被せて使用される。キーボード操作補助具１０は、身体障害者が孔２１を通してキーを押すことで、他のキーを誤って押すのを防ぐことができ、キーボード操作を容易にすることができる。
【００２１】
また、修飾キーを使用して操作する場合、キー操作補助手段１２のレバー２４を、他端２４ｃの操作部を上方に立てるようにして回転させて、レバー２４の一端２４ｂが対応する修飾キーを押す入力位置に位置付けることにより、その修飾キーを押した状態に維持することができる。これにより、片手しか使えない身体障害者であっても、レバー２４の一端２４ｂで押した修飾キーとともに、他のキーを同時に押すことができる。また、他端２４ｃの操作部を倒すようレバー２４を回転させて、レバー２４の一端２４ｂが修飾キーを開放する非入力位置に位置付けることにより、その修飾キーを押した状態から開放することができる。このように、キーボード操作補助具１０によれば、修飾キーをレバー操作により容易に操作することができる。また、レバー２４を操作したとき、キーボード用カバー１１の表面上に現れているレバー２４の状態が、それぞれの位置で大きく異なるため、修飾キーを押しているかどうかが一見して明瞭にわかる。
【００２２】
キーボード操作補助具１０は、キー操作補助手段１２が破損した場合には、キーボード用カバー１１から取付板２２を外してキー操作補助手段１２のみを取り替えればよく、キーボード操作補助具１０全体を交換する必要はない。このため、修理コストを低減することができる。
【００２３】
なお、図２に示すように、キーボード操作補助具１０は、ノートパソコンのキーボード用に小さく形成されていてもよい。また、取付板２２を使用せず、固定部材２３が直接、キーボード用カバー１１の上に固定されていてもよい。
【００２４】
図３および図４は、本考案の第２の実施の形態のキーボード操作補助具を示している。
図３に示すように、キーボード操作補助具２０は、キーボード用カバー１１とキー操作補助手段３１とを有している。なお、以下の説明では、本発明の第１の実施の形態のキーボード操作補助具１０と同一の構成には同一の符号を付して、重複する説明を省略する。
【００２５】
図３および図４に示すように、キー操作補助手段３１は、スライド部材３２とレバー３３とを有している。スライド部材３２は、先端側が二股に分かれており、レール状のガイド３２ａの間に挟まれてガイド３２ａに対しスライド可能に取り付けられている。ガイド３２ａはキーボード用カバー１１の表面に取り付けられ、それにより、スライド部材３２はキーボード用カバー１１の表面に沿って往復運動可能となっている。レバー３３は、一端３３ａの突出部が９０度に曲げられて、Ｊ字状の断面を有している。レバー３３は、Ｊ字型に曲げられた部分の外側面３３ｃが滑らかな円弧状を成している。レバー３３は、長さ方向の中央部のやや他端３３ｂ寄りの位置で、Ｊ字型に曲げられた一端３３ａの突出部を下にして、スライド部材３２の二股に分かれた先端側の間に回転軸３３ｄで回転可能に取り付けられている。回転軸３３ｄは、キーおよびキーボード用カバー１１の表面に平行かつスライド部材３２の運動方向に直角をなしている。レバー３３は、一端３３ａの突出部が、キーボード用カバー１１の孔２１ａの内側に位置するよう配置されている。
【００２６】
図４（ａ）乃至（ｇ）に示すように、レバー３３は、スライド部材３２とともに前進するとき、キーボード用カバー１１の対応する孔２１ａの縁に一端３３ａの突出部が押し付けられ、外側面３３ｃの曲面に沿って下方にスライドして孔２１ａから下方に突出し、スライド部材３２とともに後退するとき、孔２１ａの縁へと引き上げられるようになっている。レバー３３は、スライド部材３２の前進により一端３３ａの突出部が対応する修飾キーを押す入力位置と、スライド部材３２の後退により修飾キーを開放する非入力位置とに位置付け可能である。
【００２７】
次に、作用について説明する。
キーボード操作補助具１０は、修飾キーを使用して操作する場合、キー操作補助手段３１のスライド部材３２を孔２１ａに向かってスライドさせて、レバー３３の一端３３ａが対応する修飾キーを押す入力位置に位置付けることにより、その修飾キーを押した状態に維持することができる。これにより、片手しか使えない身体障害者であっても、レバー３３の一端３３ａで押した修飾キーとともに、他のキーを同時に押すことができる。また、スライド部材３２を戻す方向にスライドさせて、レバー３３の一端３３ａが修飾キーを開放する非入力位置に位置付けることにより、その修飾キーを押した状態から開放することができる。このように、キーボード操作補助具１０によれば、修飾キーを容易に操作することができる。
【００２８】
キーボード操作補助具１０は、スライド部材３２のスライド位置により、キーを押しているかどうかが一見して明瞭でわかりやすい。スライド部材３２のスライド位置がわかるよう、表示やマーク等を付けておくことにより、キーを押しているかどうかをより明瞭に示すことができる。また、スライド部材３２を往復スライドさせることにより、キーを押す位置とキーを開放する位置とに位置付けることができるため、図５に示すノック式のものと比べて、キーボード用カバー１１の表面から突出する部分を低く抑えることができる。これにより、他のキーを操作するときに邪魔になりにくい。
【符号の説明】
【００２９】
１０  キーボード操作補助具
１１  キーボード用カバー
２１  孔
１２  キー操作補助手段
２２  取付板
２３  固定部材
２４  レバー
【図１】
0003171281.tif 000003
【図２】
0003171281.tif 000004
【図３】
0003171281.tif 000005
【図４】
0003171281.tif 000006
【図５】
0003171281.tif 000007